(57)【要約】【課題】  電気的に画像や模様や色彩を随時変更できる表示装置１６を使用する。ユーザが任意のタイミングで装飾を変更することができる。【解決手段】スマートフォン１２のケースやカバーの一部に電子ペーパー１６が固定されている。そこに、装飾のための画像４６を表示する。画像書き換えのための回路１８を設ける。さらに、スマートフォン１２と接続するコネクタ２０を設けて、電源を供給する。スマートフォン１２のアプリケーションで表示画像４６を転送して書き換える。画像４６を書き換えた後は、コネクタ２０を取り外す。画像を書き換えたいときだけ、コネクタ２０を使用すればよい。画像書き換え後は、電源を接続しなくても装飾がそのまま保持される。エレクトロクロミックディスプレイのような発色パネルを利用すると、さらに装飾効果が高まる。【選択図】図１
2015076658.tif 000002
【特許請求の範囲】
【請求項１】
機材全体を包囲しまたは機材の一部に固定されてその機材を装飾するための外装と、この外装に一体化された表示装置と表示制御回路とを備え、
上記表示制御回路は、外部装置から画像データを受け入れて上記表示装置に該当する画像を表示させ、かつ、任意のタイミングで別の画像データを受け入れて上記表示装置に表示させる画像を書き換えるものであって、
上記表示装置は、上記表示制御回路の駆動電源を遮断後も、該当する画像を表示する状態を保持するものであることを特徴とする機材の装飾装置。
【請求項２】
機材は携帯型電子機器で、表示装置は電子ペーパーであって、上記表示制御回路は上記画像データを受信する受信回路を含み、
上記携帯型電子機器は上記表示制御回路を駆動する電源装置および、上記画像データを上記表示制御回路に送信する画像データ通信装置として機能することを特徴とする請求項１に記載の機材の装飾装置。
【請求項３】
上記表示制御回路を駆動する電源装置および、上記画像データを上記表示制御回路に送信する画像データ通信装置として機能する携帯型電子機器と電気接続をするための着脱可能なコネクタを備えたことを特徴とする請求項２に記載の機材の装飾装置。
【請求項４】
上記表示装置は、上記外装上で２以上の部分に分割されており、上記表示制御回路は、上記表示装置の各部分を個別に独立に制御して、表示画像の書き換えをすることを特徴とする請求項１乃至３のいずれかに記載の機材の装飾装置。
【請求項５】
機材全体を包囲しまたは機材の一部に固定されてその機材を装飾するための外装と、この外装に一体化された表示装置と表示制御回路とを備え、
上記表示装置は、電圧を加えるとその電圧に応じた色に発色するタイルを単数または複数配列して構成されており、
上記表示制御回路は、上記タイルに予め設定された電圧を加える回路を含み、かつ、上記タイルに加える電圧を切り換える機能を有するものであって、
上記表示装置は、上記表示制御回路の駆動電源を遮断後も、該当する発色状態を保持するものであることを特徴とする機材の装飾装置。
【請求項６】
上記表示装置は、エレクトロクロミックディスプレイのタイルにより構成され、上記表示制御回路は、各タイルを発色させるための電圧を一定時間毎に自動的に切り換える切換回路を備えたことを特徴とする請求項５に記載の機材の装飾装置。
【発明の詳細な説明】
【技術分野】
【０００１】
本発明は、スマートフォン（携帯型情報端末）等に、自由に切り換えができるような装飾を施すための、機材の装飾装置に関する。
【背景技術】
【０００２】
スマートフォンが急速度で普及し、そのためのアプリケーションやアクセサリの市場も拡大している。特に、スマートフォンの本体や保護ケースに様々な装飾を施すことが流行し、そのパーツについて大きな市場が生まれている。このことから、スマートフォンの保護ケースに機能的な装飾を施すような技術が紹介されている。（特許文献１、２参照）。
【先行技術文献】
【特許文献】
【０００３】
【特許文献１】実用新案登録第３１８０７５０号公報
【特許文献２】実用新案登録第３１８４９２５号公報
【発明の概要】
【発明が解決しようとする課題】
【０００４】
既知の従来の技術には、次のような解決すべき課題があった。
スマートフォンに限らず、タブレットやノートパソコン等の携帯用機器については、工夫をこらした装飾が施されているものが多い。また、この装飾にも流行があり、しばしば装飾のためのパーツを交換するユーザも少なくない。しかしながら、装飾パーツは必ずしも安価なものばかりではない。また、ユーザの年齢差や性別により、多様なニーズがあり、パーツを提供する側もニーズに応えるのが容易でない。
上記の課題を解決するために、本発明では、電気的に画像や模様や色彩を随時変更できる表示装置を使用して装飾を施すものを提供する。これにより、スマートフォン等の携帯用機器のみならず、様々な機材について、ユーザが任意のタイミングで装飾を変更することを可能にする。
【課題を解決するための手段】
【０００５】
以下の構成はそれぞれ上記の課題を解決するための手段である。
【０００６】
＜構成１＞
機材全体を包囲しまたは機材の一部に固定されてその機材を装飾するための外装と、この外装に一体化された表示装置と表示制御回路とを備え、
上記表示制御回路は、外部装置から画像データを受け入れて上記表示装置に該当する画像を表示させ、かつ、任意のタイミングで別の画像データを受け入れて上記表示装置に表示させる画像を書き換えるものであって、
上記表示装置は、上記表示制御回路の駆動電源を遮断後も、該当する画像を表示する状態を保持するものであることを特徴とする機材の装飾装置。
【０００７】
＜構成２＞
機材は携帯型電子機器で、表示装置は電子ペーパーであって、上記表示制御回路は上記画像データを受信する受信回路を含み、
上記携帯型電子機器は上記表示制御回路を駆動する電源装置および、上記画像データを上記表示制御回路に送信する画像データ通信装置として機能することを特徴とする構成１に記載の機材の装飾装置。
【０００８】
＜構成３＞
上記表示制御回路を駆動する電源装置および、上記画像データを上記表示制御回路に送信する画像データ通信装置として機能する携帯型電子機器と電気接続をするための着脱可能なコネクタを備えたことを特徴とする構成２に記載の機材の装飾装置。
【０００９】
＜構成４＞
上記表示装置は、上記外装上で２以上の部分に分割されており、上記表示制御回路は、上記表示装置の各部分を個別に独立に制御して、表示画像の書き換えをすることを特徴とする構成１乃至３のいずれかに記載の機材の装飾装置。
【００１０】
＜構成５＞
機材全体を包囲しまたは機材の一部に固定されてその機材を装飾するための外装と、この外装に一体化された表示装置と表示制御回路とを備え、
上記表示装置は、電圧を加えるとその電圧に応じた色に発色するタイルを単数または複数配列して構成されており、
上記表示制御回路は、上記タイルに予め設定された電圧を加える回路を含み、かつ、上記タイルに加える電圧を切り換える機能を有するものであって、
上記表示装置は、上記表示制御回路の駆動電源を遮断後も、該当する発色状態を保持するものであることを特徴とする機材の装飾装置。
【００１１】
＜構成６＞
上記表示装置は、エレクトロクロミックディスプレイのタイルにより構成され、上記表示制御回路は、各タイルを発色させるための電圧を一定時間毎に自動的に切り換える切換回路を備えたことを特徴とする構成５に記載の機材の装飾装置。
【発明の効果】
【００１２】
＜構成１の効果＞
機材に固定された外装に表示装置を取り付けて、自由に画像を表示したり書き換えたりすることができるので、変化のある装飾を楽しむことができる。また、電源無しに画像を表示し続けるので、装飾用として最適である。
＜構成２の効果＞
携帯電子機器の外装の装飾は、その携帯用電子機器を使用して簡単に書き換えができる。
＜構成３の効果＞
表示装置付きの外装の付属品として着脱コネクタを準備しておけば、常時は表示装置に何も接続しなくてよい。
＜構成４の効果＞
表示装置を複数の部分に分割しておけば、表示画像の部分的な書き換えを最小の電力で行える。
＜構成５の効果＞
着色したタイルの配列パタンで機材の外装を装飾する。印加電圧の切換のみで装飾を任意に変更できる。
＜構成６の効果＞
印紙電圧の切換えを自動的に行えば、より高い装飾効果が得られる。
【図面の簡単な説明】
【００１３】
【図１】実施例１の装飾装置を示す分解斜視図である。
【図２】（ａ）はスマートフォンに装飾装置を装着した外観斜視図、（ｂ）は外装１４の変形例、（ｃ）は表示制御回路１６の変形例斜視図である。
【図３】実施例２の装飾装置の回路ブロック図である。
【図４】実際のスマートフォンの操作方法の説明図である。
【図５】表示装置の変形例を示す。（ａ）は携帯電話の斜視図、（ｂ）は外装の斜視図、（ｃ）は表示装置のブロック図、（ｄ）は給電回路のブロック図である。
【図６】表示装置の変形例を示す平面図である。
【発明を実施するための形態】
【００１４】
以下、本発明の実施の形態を実施例毎に詳細に説明する。
【実施例１】
【００１５】
図１は実施例１の装飾装置を示す分解斜視図である。
図に示すスマートフォン１２は、保護用の外装１４に収容されて使用される。この外装１４は、透明プラスチック等により構成されている。図１において、スマートフォン１２は、その操作面を下に向けて図示されている。
【００１６】
このスマートフォン１２の背面に、表示制御回路１８と表示装置１６とを順に重ねて、全体を外装１４で包囲する構成になっている。なお、外装１４と表示装置１６と表示制御回路１８とは、接着剤等により一体化されているものとし、これらが装飾装置１０を構成している。
【００１７】
表示装置１６はこの実施例では電子ペーバーである。現在は白黒画像のみを表示するものが普及しているが、カラー画像を表示するものが実用化されれば、より効果的である。表示装置１６に表示される表示画像４６は、表示制御回路１８により書き換え制御される。電子ペーバーは、表示画像４６の書き換え時にのみ電力を消費する。書き換え後は、無電源で画像を表示し続ける。従って、スマートフォン１２の装飾用として好適する。
【００１８】
表示制御回路１８は、表示装置１６の表示画像４６の書き換え時に、接続端子２４とコネクタ２０を通じてスマートフォン１２から電力の供給を受ける。コネクタ２０は、スマートフォン１２に設けられた接続端子２２と表示制御回路１８に設けられた接続端子２４とを接続するためのもので、例えば、ＵＳＢ（ユニバーサルシリアルバス）接続構造をしている。
【００１９】
スマートフォン１２は装飾装置１０の電源装置および画像データ通信装置として機能する。例えば、画像データは、コネクタ２０を通じて表示制御回路１８に転送される。あるいは、無線通信により、スマートフォン１２から表示制御回路１８に送信される。
【００２０】
図２（ａ）はスマートフォンに装飾装置を装着した外観斜視図、（ｂ）は外装１４の変形例、（ｃ）は表示制御回路１６の変形例斜視図である。
図２（ａ）に示すように、透明の外装１４を通じて見える表示画像４６は、スマートフォン１２の装飾として機能する。複雑な模様やキャラクタ等を自由に選択して表示させることができる。従って、個性的な装飾が簡単に実現できる。また、任意のタイミングで表示画像４６を変更することができ、装飾変更のための実質的な費用も安価にできる。
【００２１】
なお、外装１４は、透明の硬質プラスチック製が適するが、例えば、不透明なプラスチック製でも、表示画像４６が見える窓を設けておけばそれでよい。さらに、柔軟な袋状のものでもよい。例えば、図２（ｂ）に示すように、スマートフォン１２の一部のみに固定されるカバー状の外装１４ａでもよい。
【００２２】
表示装置１６は、平板状のものでもよいし、湾曲したものでもよい。形状は四角形でも多角形でも円形でも構わない。また、図２（ｃ）に示すように、２以上の部分１６ａ、１６ｂ、１６ｃというように分割されていてもよい。例えば、外装１４の側面に、表示装置１６ｃが設けられていて、各表示装置１６ａ、１６ｂ、１６ｃが個別に独立に表示画像の書き換えを制御されるようにしてもよい。
【００２３】
表示画像の書き換えのためには相応の電力を消費するが、表示装置１６が複数の部分に分割されていれば、その一部の表示画像のみを書き換えることにより、消費電力を最小にできる。また、表示画像書き換えのための画像データも小データ量で済むという効果がある。
【実施例２】
【００２４】
図３は、実施例２の装飾装置の回路ブロック図である。
図３（ａ）に示すように、装飾装置１０は表示装置１６と表示制御回路１８と受信回路２６とを備える。表示装置１６が電子ペーパーの場合には、既に画像データが書き込まれた状態では、表示制御回路１８や受信回路２６は動作していない。なお、図１に示した接続端子２４と図３（ａ）に示した受信回路２６とは表示制御回路１８と一体化されているものとする。
【００２５】
ここで、表示画像を書き換える場合には、図３（ｂ）に示すように、コネクタ２０を接続する。これにより、スマートフォン１２の電源回路３０から表示制御回路１８と受信回路２６に対して駆動電力を供給する。そして、画像データ送信装置２８から書き換え用の画像データをコネクタ２０を通じて受信回路２６に転送する。これにより、表示制御回路１８は表示装置１６に表示された画像を新たな画像に書き換える。
【００２６】
その後は再びコネクタ２０を外して、表示制御回路１８と受信回路２６の動作を停止させる。表示装置１６は書き換えられた画像を表示した状態で、そのままスマートフォン１２の装飾装置として機能する。コネクタは着脱可能なものとし、ブロック状でもケーブル状でもよい。
【００２７】
図４は、実際のスマートフォンの操作方法の説明図である。
図に示すように、スマートフォン１２の操作画面に表示され画像書き換えのための起動ボタン３２を操作して、「デコ選び」と表示した操作画面３４を起動する。この操作画面３４には、例えば、画像選択ボタン３６とダウンロードボタン３８と画像作成ボタン４０とが設けられている。
【００２８】
画像選択ボタン３６は、スマートフォン１２の記憶装置に記憶された画像データを選択するためのものである。ダウンロードボタン３８は、所定のウェブサイトから画像データをダウンロードするためのものである。画像作成ボタン４０は、例えば、手作業で画像データを作成するアプリケーションを起動するためのものである。
【００２９】
画像選択ボタン３６が操作されると、画像選択画面４２が表示される。画像選択画面４２には改ページボタン４４が設けられている。これにより、希望する画像データを選択する。選択された画像データは画像選択画面４２に表示される。書き換えボタン４８を操作すると、選択された画像データが表示装置１６に転送される。そして、外装１４に該当する表示画像４６が表示される。
【００３０】
なお、上記の画像データの転送には、ＵＳＢコネクタを使用した有線通信、短距離無線通信、赤外線通信等を利用できる。さらに、表示制御回路１８や受信回路２６を駆動する電源装置を外装１４側に組み込むこともできる。ボタン電池やシート状の２次電池等の組み込みが可能である。
【００３１】
また、外装１４への電源装置の組み込みができれば、表示装置１６を液晶表示板や有機ＥＬ基板等に置き換えることもできる。その場合には、表示画像を静止画だけでなく動画にすることもできる。
【００３２】
以上の実施例では、スマートフォン１２の外装の例を示したが、本発明は、例えば、タブレット型コンピュータ、ノートブック型コンピュータ等のように、表示画像の書き換え機能を持つ携帯型電子機器の装飾にも適する。画像書き換え装置は、スマートフォンのアプリケーション以外に、パーソナルコンピュータや機材に内蔵されたコンピュータ等を利用できる。
【００３３】
また、例えば、置き時計等の小型家具の装飾等にも利用できる。さらに、鞄やベルトのバックル等、衣料品の一部の装飾にも利用できる。これらには、後で説明するように、電源さえあれば色や模様を変えられる表示装置も好適する。
【実施例３】
【００３４】
図５は、表示装置の変形例を示す。（ａ）は携帯電話の斜視図、（ｂ）は外装の斜視図、（ｃ）は表示装置のブロック図、（ｄ）は給電回路のブロック図である。
実施例１では、電源遮断後も状態を自己保持できる表示装置を例示した。即ち、電子ペーパーは、画像データの書き換え時のみ表示制御回路１８や受信回路２６を駆動するための電源が必要であるが、データ書き換え後電源が不要だという効果がある。
【００３５】
しかしながら、まだカラー画像を表示できるものが普及していないという問題がある。この実施例３は、それに変わるものとして、表示装置にエレクトロクロミックディスプレイを使用する。エレクトロクロミックディスプレイは、印加した電圧により発色し、電源遮断後もその色を保持することができる。また、印加した電圧のレベルにより異なる色を発色させることができる。
【００３６】
エレクトロクロミックディスプレイは、電圧を加えた場所が一面に均一に発色するのであって、画像データに応じた発色をするわけではない。そこで、この実施例では、複数枚のエレクトロクロミックディスプレイのタイル５８ａを組み合わせて表示装置を構成する。
【００３７】
図５（ｃ）の例では、合計９枚のタイル５８ａを並べて四角形の表示装置を構成した。これらのタイルに、給電回路５０からそれぞれ異なる電圧を供給する。例えば、図５（ｄ）に示すように、電池群５２から数種類の直流電圧を取り出して、切換回路５４を通じて各タイル５８ａに電源電圧を供給する。切換スイッチ５６で、供給電圧の組み合わせを選択できるようにしておけばよい。
【００３８】
以上の構成により、電源電圧を加えるための切換スイッチ５６の操作のみで、様々なパタンの装飾を実現することができる。外装１４の全面を任意のタイミングで希望する色にすることができる。また、このように表示装置を任意の領域に区分して、複数の色の組み合わせで発色させられる。
【００３９】
図６は、表示装置の変形例を示す平面図である。
エレクトロクロミックディスプレイのタイル５８ｂ、５８ｃ、５８ｄは、機材の外装に対して、自由な配列で取り付けできる。図６（ａ）に示すように、基板６０上に碁盤の目のようにタイル５８ｂを配列してもよいし、（ｂ）に示す長方形のものを配列してもよい。
【００４０】
また、エレクトロクロミックディスプレイの課電用電極の形状を、動物とか花とか幾何学模様にデザインしておくこともできとる。図６（ｃ）の例は電極を円形にしたものである。
【００４１】
エレクトロクロミックディスプレイは、電圧を加えてから電源を切り離しても、一定時間発色状態を保持する。従って、表示のための電力消費が電子ペーパーのように少ないという効果がある。また、電源を切り離しておくと、時間とともに次第に色が消えていく性質を持つから、例えば、一定時間毎に電圧を加えて元に戻したり、別の色に切り替えたりして、色やデザインを複雑に変化させることができる。
【００４２】
以上のように実施例３の表示装置は、機材の外装に電源を一体化させておけば、受信回路も画像データ送信装置も不要である。表示装置を、複数のエレクトロクロミックディスプレイのタイルにより構成し、各タイルを発色させるための電源電圧を、一定時間毎に自動的に切り換える切換回路を設けておけば、任意の動的な色パターンで機材を装飾することができる。
【符号の説明】
【００４３】
１０  装飾装置
１２  スマートフォン
１４  外装
１６  表示装置
１８  表示制御回路
２０  コネクタ
２２  接続端子
２４  接続端子
２６  受信回路
２８  画像データ送信装置
３０  電源装置
３２  起動ボタン
３４  操作画面
３６  画像選択ボタン
３８  ダウンロードボタン
４０  画像作成ボタン
４２  画像選択画面
４４  改ページボタン
４６  表示画像
４８  書き換えボタン
５０  給電回路
５２  電池群
５４  切換回路
５６  切換スイッチ
５８  タイル
６０  基板
【図１】
2015076658.tif 000003
【図２】
2015076658.tif 000004
【図３】
2015076658.tif 000005
【図４】
2015076658.tif 000006
【図５】
2015076658.tif 000007
【図６】
2015076658.tif 000008